(57)【要約】【課題】汎用インバータの主回路端子台などを対象に、この端子台に簡易なアタッチメントを組み合わせることで、３相／単相各系列の端子仕様に合わせて端子記号の表示変更、および誤配線防止機能にも対応できるように改良した電子機器の端子台を提供する。【解決手段】３相系列インバータの端子仕様に合わせて構成した主回路端子台３を共通部品として、これと同じ主回路端子台３を単相系列のインバータに搭載して使用する際に、該主回路端子台３の前部に単相用の端子記号表示プレート１０を装着し、この端子記号表示プレート１０には単相系列の端子仕様に対応する端子記号７，および“空き端子”を表す空白部１０ａを割付け表示するとともに、該空白部１０ａに連ねて端子台の“空き端子”を塞ぐ端子カバー１０ｂを一体に形成する。【選択図】図１
2014022054.tif 000002
【特許請求の範囲】
【請求項１】
複数の端子金具を横一列に配列して絶縁物の端子基台に保持し、かつ該端子基台の前部に各端子金具の端子記号を割付け表示した構成になる端子台を共通部品として、この端子台を端子仕様の異なる機種の機器ケースに搭載して使用する電子機器の端子台において、
前記端子台には、当該端子台を搭載する機器の端子仕様に合わせて端子記号を割付け表示した別部品の端子記号表示プレートを選択的に端子基台の前部に装着するようにし、かつ該端子記号表示プレートには、端子台の“空き端子”に対応する部位の端子記号を空白とした上で、該空白部に連ねて “空き端子”の端子金具を覆う端子カバーを設けたことを特徴とする電子機器の端子台。
【請求項２】
請求項１に記載の端子台を共通部品として、当該端子台を３相，もしくは単相電源の入力電線を接続するインバータの主回路端子台に適用した端子台においては、前記主回路端子台の端子基台に３相電源の各相に対応する端子記号を割付け表示しておくとともに、単相系列のインバータ装置に搭載する主回路端子台については、その端子基台の前部に単相系列の端子仕様に対応する端子記号表示プレートを装着し、かつ該端子記号表示プレートには単相電源の入力端子記号を割付け表示するとともに、“空き端子”となる端子金具を覆う端子カバーを設けたことを特徴とする電子機器の端子台。
【請求項３】
請求項１または２に記載の端子台において、端子カバーを端子記号表示プレートの空白部に連ねてその背後側に一体形成した上で、この端子記号表示プレートを端子基台の前部に形成した差込溝に嵌め込んで装着するようにしたことを特徴とする電子機器の端子台。
【発明の詳細な説明】
【技術分野】
【０００１】
本発明は、汎用インバータ装置の主回路端子台などに適用する電子機器の端子台に関する。
【背景技術】
【０００２】
周知のように、頭記の汎用インバータ装置は、その主電源に３相電源を入力する機種（以下［３相系列］と呼称する）、および単相電源を入力する機種（以下「単相系列」と呼称する）に分けて製品が系列化されている。また、インバータのメーカーでは各系列の部品をできるだけ共通化して製品コストの低減を図るために、インバータ装置に搭載する主回路端子台についても、３相／単相の各系列で同じ主回路端子台を共通部品として採用しており、次に従来のインバータ製品に搭載した端子台の構造，配置を図２〜図５で説明する。
【０００３】
なお、図２は３相系列のインバータ装置に搭載した端子台の配置図、図３は共通部品として３相／単相の各系列に搭載する主回路端子台の外観図、図４は単相系列のインバータ装置に搭載した主回路端子台に組み合わせて使用する端子記号表示プレートの外観図、図５は単相系列のインバータ装置に搭載した端子台の配置図である。
【０００４】
各図において、１はインバータ装置のケース、２はその取付フレーム、３はケース１に搭載した入力側の主回路端子台、４は前記端子台３の前方に二階建て式に配置した出力側の主回路端子台、５はケース１の内部に配した制御回路端子台、６は主回路端子台３，４の端子金具（端子ねじ）、７は端子台に表示した端子記号であり、各端子台３〜５は３相／単相系列の共通部品としてインバータケース１に組み付け、この端子台をケース内部に収設した主回路基板，制御回路基板（不図示）に接続して外部の電線と配線するようにしている。
【０００５】
ここで、３相／単相系列のインバータ装置に共通部品として搭載する主回路端子台３は、図３で示すように３相系列の端子仕様に合わせて複数の端子金具６を、横一列に配列して絶縁物製の端子基台３ａに保持し、かつ各端子金具６の相互間をバリア隔壁３ｂで隔離するとともに、前記端子基台３ａの前部に張り出した端子記号の表示部３ｃに端子記号７を割付け表示した構成になる。なお、３ｄは後記のように端子記号表示プレート（単相用）をアタッチメントとして嵌め込み装着するために、バリア隔壁３ｂの根元部に切欠き形成したプレート差込溝である。また、この端子台３に表示した端子記号７について、図示のL1/R，L2/S，L3/Tは３相入力電源の各相に対応する主電源入力端子、P1，P(+)，N(-)は直流リアクトル,直流母線接続端子を表している。
【０００６】
そして、前記の端子台（図３参照）をケース１に搭載した３相系列のインバータ装置では、図２で表すように３相電源の各相に対応する電線（L1，L2，L3）を主回路端子台３の主電源入力端子L1/R，L2/S，L3/Tに接続して主電源の配線を行うようにしている。
【０００７】
一方、図３に示した前記主回路端子台３を共通部品として、この端子台を単相系列のインバータ装置に搭載して使用するには、単相の端子仕様に合わせて端子台の端子記号を３相から単相に表示変更する必要がある。そこで、従来は主回路端子台３のアタッチメントとして用意しておいた図４の端子記号表示プレート１０を、図５のように主回路端子台３に装着して端子記号の表示変更に対応させるようにしている。
【０００８】
すなわち、この端子記号表示プレート１０は、図４に示すような帯状の樹脂板に単相の主電源入力に対応するL1/L，L2/N、および直流リアクトル,直流母線接続端子に対応するP1，P(+)，N(-)の各端子記号７を割付けて表示（刻印）し、ここで端子記号L1/LとL2/Nとの間には“空き端子”を意味する空白部１０ａを残しておく。なお、この端子記号表示プレート１０を主回路端子台３に装着するには、図３の主回路端子台３に形成した表示部３ｃの上にプレートを重ね、バリア隔壁３ｂの根元部分に形成したプレート差込溝３ｄに差し込んで所定位置に嵌め込み装着する。そして、この主回路端子台３に単相電源の入力線を配線するには、図５のように２本の入力線９を端子記号L1/L，L2/Nに対応する端子金具６に接続する。
【０００９】
また、この単相系列のインバータ装置においては、前記端子記号表示プレート１０の空白部１０ａに対応する“空き端子”の端子金具６に対し、図５で表すように樹脂などの封止材１１をポッティングして“空き端子”の端子金具６を塞ぐようにしている。これは、インバータの使用先でユーザーが配線作業を行う際に、電源側の入力電線９を誤って端子台３の“空き端子”に接続する誤配線を防ぐための処置である。
【００１０】
なお、インバータ装置などで誤配線を防ぐ対応策として、前記の構成とは別に、主回路端子台に各端子の接続部を覆う誤接続防止用の端子カバーをあらかじめ設けておき、ユーザーサイドでこの端子台に電線を配線する際に、使わない端子の端子カバーは残したまま、電線を接続する端子を塞いでいる端子カバーをニッパーなどの工具で切断して配線作業を行うようにした構成が知られている（例えば、特許文献１参照）。
【先行技術文献】
【特許文献】
【００１１】
【特許文献１】再公表特許ＷＯ２００８／０９０７５４号公報
【発明の概要】
【発明が解決しようとする課題】
【００１２】
３相系列の端子仕様に合わせて作製した図３の主回路端子台３を共通部品として、これと同じ主回路端子台３を単相系列のインバータ装置に搭載して使用する際に、そのアタッチメントとして図４の端子記号表示プレート１０を組み合わせることで、単相系列の端子仕様にも簡単に対応できる利点がある。
【００１３】
ところで、主回路端子台３に図４の端子記号表示プレート１０を装着しただけでは、ユーザーの誤配線を確実に防ぐことができないため、従来では図５に示すように端子台の“空き端子”に対応する端子金具６に樹脂などの封止材１１をポッティングして該端子金具を塞ぐような処置を講じている。
【００１４】
しかしながら、“空き端子”を封止材１１で塞ぐにはポッティング作業が必要で製品の組立工数が増えるほか、金属の端子金具６と樹脂の封止材１１との接着性，熱膨張係数差に起因してインバータ装置の使用中に封止材１１が端子金具６から剥離，脱落してしまい、その後に行う配線作業時には誤配線防止機能が喪失するおそれがある。
【００１５】
また、先記の特許文献１に開示されている端子カバーは誤配線の防止には有効であるが、端子台に表示する端子記号については、３相系列，単相系列の機種ごとにその端子台の端子記号を個別に表示する必要があって部品共通化の問題がある。
【００１６】
本発明は上記の点に鑑みなされたものであり、その目的は前記した３相／単相各系列のインバータ装置に搭載した主回路端子台などを対象に、共通部品として作製した端子台に簡易なアタッチメントを選択的に組み合わせることで、３相／単相各系列の端子仕様に合わせて端子台に表示する端子記号の変更、および“空き端子”の閉塞に同時対応できるよう改良した電子機器の端子台を提供することにある。
【課題を解決するための手段】
【００１７】
上記目的を達成するために、本発明によれば、複数の端子金具を横一列に配列して絶縁物の端子基台に保持し、かつ該端子基台の前部に各端子金具の端子記号を割付け表示した構成になる端子台を共通部品として、この端子台を端子仕様の異なる機種の機器ケースに搭載して使用する電子機器の端子台において、
前記端子台には、当該端子台を搭載する機器の端子仕様に合わせて端子記号を割付け表示した別部品の端子記号表示プレートを選択的に端子基台の前部に装着するようにし、かつ該端子記号表示プレートには、端子台の“空き端子”に対応する部位の端子記号を空白とした上で、該空白部に連ねて “空き端子”の端子金具を覆う端子カバーを設ける（請求項１）。
【００１８】
また、本発明の実施態様として、前記端子台を３相，もしくは単相電源を入力するインバータ装置の主回路端子台に適用する端子台においては、前記主回路端子台の端子基台に３相電源の各相に対応する端子記号を割付け表示しておくとともに、単相系列のインバータ装置に搭載する主回路端子台については、その端子基台の前部に単相系列の端子仕様に対応する端子記号表示プレートを装着し、かつ該端子記号表示プレートには単相電源の入力端子記号を割付け表示するとともに、“空き端子”となる端子金具を覆う端子カバーを設ける（請求項２）
ここで、前記端子カバーは端子記号表示プレートの空白部に連ねてその背後側に一体形成し、この端子記号表示プレートを端子基台の前部に形成した差込溝に嵌め込んで装着するようにする（請求項３）。
【発明の効果】
【００１９】
上記構成の端子台によれば、３相／単相各系列のインバータ装置に搭載する主回路端子台などを対象に部品共通化を図りつつ、３相／単相各系列の端子仕様に合わせてその端子記号の表示変更、および“空き端子”の閉塞を同時に達成することができる。
【００２０】
また、この端子台のアタッチメントとして端子基台に装着する端子記号表示プレートには、端子台の“空き端子”に対応する空白部、および該空白部から背後に延在する端子カバーを一体形成したことで、図４，図５で述べた封止材のポッティングにより“空き端子”を塞ぐ面倒な作業工程が必要なく、かつこの封止材の不測な剥離，脱落の心配なしに誤配線防止機能を確保できる。
【図面の簡単な説明】
【００２１】
【図１】単相系列の汎用インバータ装置に適用した本発明の実施例による主回路端子台の構成配置を示す俯瞰図である。
【図２】３相系列のインバータ装置に搭載した端子台の構成，配置を表す俯瞰図である。
【図３】３相／単相各系列のインバータ装置に共通部品として搭載する主回路端子台の構造を示す外観図である。
【図４】単相系列のインバータ装置に搭載した主回路端子台にアタッチメントとして付設する従来の端子記号表示プレートの外形図である。
【図５】図３の主回路端子台に図４の端子記号表示プレートを組み合わせて単相系列のインバータ装置に搭載した端子台の構成，配置を表す俯瞰図である。
【発明を実施するための形態】
【００２２】
以下、本発明の実施の形態を図１に示す実施例に基づいて説明する。なお、図１は単相系列のインバータ装置に搭載した端子台の構成，配置図であり、実施例の図中で図３〜図５に対応する部材には同じ符号を付してその説明は省略する。
【００２３】
すなわち、図示実施例の主回路端子台では、図３に示した主回路端子台３を３相／単相各系列の共通部品として、単相系列のインバータ装置に搭載した上で、この主回路端子台３には図示の端子記号表示プレート１０を装着してその端子表示を単相系列の端子仕様に合わせて変更するようにしている。この点は図５に示した従来構造と同様である。
【００２４】
ここで、図１に示した樹脂製の端子記号表示プレート１０には、図４のプレートと同様に単相の端子仕様に対応する端子記号７（L1/L，空白，L2/N、およびP1，P(+)，N(-)）を表示するほか、“空き端子”を表示する空白部１０ａから背後に突き出して延在するＬ字形に屈曲した端子カバー１０ｂが一体形成されている。
【００２５】
そして、この端子記号表示プレート１０を図５で述べたと同様な方法で主回路端子台３の端子基台３ａのプレート差込溝３ｄに嵌め込み装着すると、前記端子カバー１０ｂが“空き端子”に対応する主回路端子台３の端子金具６を覆って外部から電線を接続できないようにし、電源入力線９（図５参照）の誤配線を防止する。
【００２６】
これにより、図５で述べた従来構造と比べて、封止材１１をポッティングして“空き端子”を塞ぐ作業が必要なく、またこの封止材１１の不測な剥離，脱落に起因して誤配線防止機能が損なわれる心配もなくなるなどの効果が得られる。
【００２７】
なお、図示実施例は汎用インバータ装置に適用して主電源入力の電線を接続する主回路端子台について述べたが、本発明はこれに限定されるものではなく、他の一般的な電子機器の端子台にも実施適用できる。
【符号の説明】
【００２８】
１    インバータ装置のケース
３    電源入力側の主回路端子台
３ａ  端子基台
３ｂ  バリア隔壁
３ｃ  端子記号の表示部
３ｄ  プレート差込溝
６    端子金具
７    端子記号
９    電源の入力電線
１０    端子記号表示プレート
１０ａ  空白部
１０ｂ  端子カバー
【図１】
2014022054.tif 000003
【図２】
2014022054.tif 000004
【図３】
2014022054.tif 000005
【図４】
2014022054.tif 000006
【図５】
2014022054.tif 000007